(57)【特許請求の範囲】
【請求項１】
予め設定した条件で省電力状態または非省電力状態にする機能を有するパソコンの電源切り忘れ防止装置であって、
前記パソコンに接続されたキーボード内部にあって、前記パソコンの省電力状態または非省電力状態の情報を取得し、前記省電力状態のときは、ユーザが前記キーボードの操作可能な範囲にいるか否かを感知し、前記ユーザが前記キーボードの操作可能な範囲にいるときは、省電力状態であることを前記ユーザに警告音で報知することを特徴とするパソコンの電源切り忘れ防止装置。
【請求項２】
前記キーボード内部に、
指示を受けると動作を開始し、赤外線によりユーザが前記キーボードの操作可能な範囲にいるか否かを感知し、感知した状態をセンサ感知信号として出力するセンサと、
前記パソコンの省電力状態または非省電力状態の情報を格納し、前記省電力状態であるとき前記センサへ動作の指示を送信し、前記非省電力状態であるとき前記センサの動作を無効にするサスレジ状態格納レジスターと、
前記センサ感知信号を受信するとユーザへ、前記パソコンが省電力状態であることを報知する警告音を出力する第１のスピーカーと、
前記パソコンが省電力状態または非省電力状態であるかの情報を取得し、前記情報を前記サスレジ状態格納レジスターへ格納し、前記センサから送信されてきた前記センサ感知信号を受信し、前記受信したセンサ感知信号を前記第１のスピーカーへ出力する制御回路と、
を備えることを特徴とする請求項１記載のパソコンの電源切り忘れ防止装置。
【請求項３】
前記パソコンは、第２のスピーカーを備え、前記制御回路は、前記センサから前記センサ感知信号を受信すると、前記第２のスピーカーへ前記センサ感知信号を出力し、前記第２のスピーカーは、前記センサ感知信号を受信するとユーザへ前記パソコンが省電力状態であることを報知する警告音を出力することを特徴とする請求項２記載のパソコンの電源切り忘れ防止装置。
【請求項４】
前記警告音は、警報音および／または音声であることを特徴とする請求項１、２または３記載のパソコンの電源切り忘れ防止装置。
【請求項５】
予め設定した条件で省電力状態または非省電力状態にする機能を有するパソコンの電源切り忘れ防止方法であって、
キーボードが、前記パソコンの省電力状態または非省電力状態の情報を取得するステップと、
前記省電力状態になると、前記キーボードに備えるセンサが、ユーザが操作可能な範囲にいるか否かを感知するステップと、
ユーザが操作可能な範囲にいる場合は、前記キーボードに備えるスピーカーから省電力状態であることの警報音を出力するステップと、
前記非省電力状態になると、前記キーボードに備えるセンサが、ユーザを感知する動作を終了するステップと、
を含むことを特徴とするパソコンの電源切り忘れ防止方法。
【請求項６】
前記警告音は、警報音および／または音声であることを特徴とすることを特徴とする請求項５記載のパソコンの電源切り忘れ防止方法。
【発明の詳細な説明】
【０００１】
【発明の属する技術分野】
本発明は、パソコンのキーボードにセンサを備え、警告音によりパソコンがサスペンド状態であることがわかるパソコンの電源切り忘れ防止装置および方法に関する。
【０００２】
【従来の技術】
従来のユーザが離席したときのパソコンの省電力モード切替の方法の一例が、特開平４−２９１６１２号公報に記載されている。この公報に記載された省電力型データ処理装置は、オペレータが席を離れて入力がなくなると、近接センサが検出するとレジューム機能に必要なデバイス以外の装置の電源を遮断し、オペレータが近接すると直ちに電源が回復し元の状態に戻る。
【０００３】
さらに従来の技術が特開平９−１７１４２２号公報に記載されている。この公報に記載された情報処理装置は、出力した赤外線の反射により使用者の検出をおこない使用者の検出結果を送出する赤外線検出手段と、赤外線検出手段からの検出結果を受信し結果によりパソコンを省電力モードまたは省電力モードにする省電力／非省電力モード切替制御部とを備える。
【０００４】
さらに従来の技術が特開平１０−２０７５８４号公報に記載されている。この公報に記載された電子機器は、出力された赤外線または超音波等の反射した信号を検知し所定位置にユーザがいるか否かをの検知結果を出力する人体センサを有し、検知結果により低消費電力モードの実行／解除をおこなう。
【０００５】
【発明が解決しようとする課題】
特開平４−２９１６１２号公報に記載の省電力型データ処理装置は、オペレータが在席中にスリープモードにならず離席するとスリープモードになるが、在席中にスリープモードにならないとかえって電力を消費してしまうことになり、さらにスリープモードのとき電源が切れているか否かはわからずそのまま放置してしまうこともあった。
【０００６】
特開平９−１７１４２２号公報に記載の情報処理装置は、省電力／非省電力モードを使用者が所定の位置にいるか否かで自動的に切替をおこなうが、使用者が所定の位置にいるときに省電力モードである方がよい場合もあった。省電力状態のとき使用者は、サスペンド状態のパソコン画面を見て電源が切れていると勘違いしてしまい、そのまま放置してしまうこともあった。
【０００７】
特開平１０−２０７５８４号公報に記載の電子機器は、赤外線かまたは超音波等を用いた人体センサにより検知範囲内のユーザの存在を検知し、低消費電力モードの実行／解除をおこなうが検知範囲内にユーザがいるだけで不必要なときも解除されてしまうということもあった。
【０００８】
上述の各々の従来の技術は、サスペンド状態のパソコン画面を見て電源が切れていると勘違いしてしまい、そのまま放置してしまうことがあり、無駄に電力を消費してしまうということがあった。
【０００９】
本発明の目的は、パソコンがサスペンド状態のときに、センサによりユーザの存在を感知し、警告音によりサスペンド状態であることを報知するパソコンの電源切り忘れ防止装置および方法を提供することにある。
【００１０】
【課題を解決するための手段】
本発明のパソコンの電源切り忘れ防止装置は、予め設定した条件で省電力状態または非省電力状態にする機能を有するパソコンの電源切り忘れ防止装置であって、パソコンに接続されたキーボード内部にあって、パソコンの省電力状態または非省電力状態の情報を取得し、省電力状態のときは、ユーザがキーボードの操作可能な範囲にいるか否かを感知し、ユーザがキーボードの操作可能な範囲にいるときは、省電力状態であることをユーザに警告音で報知することを特徴とする。
【００１１】
本発明のパソコンの電源切り忘れ防止方法は、予め設定した条件で省電力状態または非省電力状態にする機能を有するパソコンの電源切り忘れ防止方法であって、キーボードが、パソコンの省電力状態または非省電力状態の情報を取得するステップと、省電力状態になると、キーボードに備えるセンサが、ユーザが操作可能な範囲にいるか否かを感知するステップと、ユーザが操作可能な範囲にいる場合は、キーボードに備えるスピーカーから省電力状態であることの警報音を出力するステップと、非省電力状態になると、キーボードに備えるセンサが、ユーザを感知する動作を終了するステップと、を含むことを特徴とする。
【００１２】
【発明の実施の形態】
本発明は、パソコンがサスペンド状態になったときに警告音を鳴らし、レジューム状態に戻すことなく、電源が切れていないことをユーザに知らせるものである。
【００１３】
本発明の実施例の構成を図１を参照し詳細に説明する。図１は、本発明のキーボードの内部回路を示す図である。
【００１４】
本発明のパソコンの電源切り忘れ防止装置は、図１に示すように、ディスプレイを予め設定した条件でレジューム，サスペンドする機能を有し、外部記憶装置，キーボードなどの他のデバイスを接続しデータをやり取りするパソコン本体１０と、パソコン本体１０に接続しディスプレイのレジューム，サスペンドの状態を格納し、赤外線によりユーザの存在を感知しサスペンドの状態からユーザへ警告音を出力するキーボード１２とを備える。
【００１５】
キーボード１２は、指示により作動し赤外線を送出しユーザがキーボード１２の付近にいるか否かを感知し、感知した状態の情報をセンサ感知信号として出力するセンサ１４と、指示により音声およびアラームなどの警報音を含む警告音を出力するスピーカー１６と、パソコン本体１０のディスプレイのサスペンド，レジュームの状態を格納しサスペンドの状態であるときセンサ１４へ作動の指示を送出するサスレジ状態格納レジスター１８と、インターフェース信号によりパソコン本体１０のディスプレイのサスペンド，レジュームの状態を取得し、その状態をサスレジ状態格納レジスター１８へ格納し、センサ１４からのセンサ感知信号を入力し、サスレジ状態格納レジスター１８の状態およびセンサ感知信号の状態からセンサ感知信号をスピーカー１６へ出力し、警告音を鳴らす制御回路２０とを有する。また、センサ１４は、感知する範囲をユーザがキーボード１２を操作可能な範囲に限定することも可能である。
【００１６】
制御回路２０は、警告音をならすとき、センサ感知信号をスピーカー１６へ出力しているが、音声等を予め格納しておきセンサ感知信号を音声等に変換し出力し警告音として出力することも可能である。
【００１７】
この電源切り忘れ防止装置は、ディスプレイのレジューム，サスペンドの状態をインターフェース信号から制御回路２０により検知し、その状態をサスレジ信号によりサスレジ状態格納レジスター１８へ格納する。サスレジ状態格納レジスター１８の情報がサスペンドを示すものになると、電源切り忘れ防止装置は、センサ１４にユーザ感知をおこなうように指示する。センサ１４は、赤外線により付近にユーザがいるか否かを感知し、その状態をセンサ感知信号として制御回路２０へ送出する。制御回路２０は、センサ感知信号を受信しスピーカー１６へ出力する。スピーカー１６は、警告音を出力する。
【００１８】
サスレジ状態格納レジスター１８の状態がレジュームになると、センサ１４への感知指示が停止し、センサ１４は、無効になる。
【００１９】
また警告音は、アラームなどの警報音や、音声によるものであってもよく警報音と音声とを組み合わせて出力することも可能である。また警告音の特に音声によるものは、メモリ等に格納されているものを出力することで実現可能である。
【００２０】
次に、本発明の実施例の動作を説明する。本発明の動作について、図１を参照して説明する。
【００２１】
パソコン本体１０がサスペンド状態になったときにその情報が、インターフェイス信号によってキーボードの制御回路２０に伝達されて、サスレジ状態格納レジスター１８にサスレジ信号を送出する。サスレジ信号の送出によって、サスレジ状態格納レジスター１８にパソコン本体１０がサスペンド状態になったという情報を伝える。
【００２２】
ここで、サスレジ状態格納レジスター１８は、パソコン本体１０がサスペンド状態になった時にセンサ１４に信号を送り、レジューム状態のときは信号を送らないようにプログラムされている。
【００２３】
このときプログラムによりサスレジ状態格納レジスタ１８がセンサ１４に信号を送ることによって、センサ１４が作動して赤外線を出し、人の存在をセンサ１４が感知する。センサ１４は、存在を感知するとセンサ感知信号が制御回路２０に送られる。
【００２４】
制御回路２０によってセンサ１４から送られてきた信号が、スピーカー１６に送られ、スピーカー１６が作動し、約１０秒間音を鳴らす。スピーカー１６は、タイマー機能をつけてセンサ感知信号が伝達されつづける間３０分ほどの間隔で音を発するようになっている。
【００２５】
パソコン本体１０がレジュームした後、その情報をインターフェイス信号によってキーボードが認知し、サスレジ状態格納レジスタ１８のプログラムによってセンサ１２が無効となる。
【００２６】
次に、本発明の他の実施例を図２を参照し説明する。図２は、本発明の他の実施例のキーボードの内部回路を示す図である。
【００２７】
本実施例は、パソコン本体１０と制御回路２０との間に、センサ感知信号をＷａｋｅ  ｕｐ信号に変換するキーボードコントローラ２２をさらに有するものである。
【００２８】
パソコン本体１０がサスペンド状態になると、指示によりセンサ１４は、動作する。センサ１４によりセンサ感知信号が、制御回路２０に送られる。センサ感知信号は、キーボードコントローラー２２でＷａｋｅ  ｕｐ信号に変換され、パソコン本体１０に送られる。そしてパソコン本体１０のサスペンド，レジュームなどのおこなう機能を含むパワーマネージメント機能は、パソコン本体１０をレジュームさせる。
【００２９】
次に、本発明のさらに他の実施例を図３を参照し説明する。図３は、本発明のさらに他の実施例のキーボードの内部回路を示す図である。
【００３０】
本実施例は、パソコンの内蔵スピーカー２４を利用して警告音を鳴らすものである。動作は、図１の実施例と同様であり、センサ感知信号をパソコン本体１０へ出力し、スピーカー２４で警告音を出力する。なお、本実施例でスピーカー１６は、削除してもよい。
【００３１】
さらにセンサ１４からキーボード１２を通してパソコン本体１０の内蔵スピーカー２４に信号を送る。パソコン本体１０を一時的にレジュームさせて、警告音を鳴らし、その後再びサスペンド状態になるようにプログラムされたレジスターをパソコン本体１０に組み込むことも可能である。
【００３２】
また本発明のキーボードおよびセンサを利用して、人が近づいたときにパソコンをレジュームするような装置をキーボード内につくり、電源が入っていることを知らせる方法も考えられる。
【００３３】
【発明の効果】
本発明のパソコンの電源切り忘れ防止装置は、パソコンがサスペンド状態になっている時にパソコンの設置場所に戻ってくると警告音がなり、またパソコンの設置場所にいてパソコンがサスペンド状態になったときはセンサの赤外線がユーザにあたっている間、一定の間隔で警告音を出すことによってユーザはパソコンがサスペンド状態であって電源が入っていることがわかるので電源消し忘れ防止の効果がある。
【図面の簡単な説明】
【図１】本発明のキーボードの内部回路を示す図である。
【図２】本発明の他の実施例のキーボードの内部回路を示す図である。
【図３】本発明のさらに他の実施例のキーボードの内部回路を示す図である。
【符号の説明】
１０  パソコン本体
１２  キーボード
１４  センサ
１６  スピーカー
１８  サスレジ状態格納レジスター
２０  制御回路
２２  キーボードコントローラ
２４  スピーカー
【図１】
0003652939.tif 000002
【図２】
0003652939.tif 000003
【図３】
0003652939.tif 000004